(57)【要約】【課題】冷間抽伸加工を施す前の金属管の表面に潤滑用の樹脂被膜を適切に且つ効率的に形成可能な金属管の樹脂被膜形成設備を提供する。【解決手段】本発明に係る樹脂被膜形成設備は、金属管Ｐを搬送する搬送装置１と、搬送装置で搬送された金属管を加温する加温装置２と、搬送装置で搬送された金属管の外面に樹脂を塗布する外面樹脂塗布装置３と、搬送装置で搬送された金属管の内面に樹脂を塗布する内面樹脂塗布装置４と、搬送装置で搬送された金属管の内部に送風する送風装置５と、を備える。加温装置、外面樹脂塗布装置、内面樹脂塗布装置及び送風装置は、搬送装置による金属管の搬送方向上流側から下流側に向けてこの順に配置されている。【選択図】図１
2020040083.tif 000002
【特許請求の範囲】
【請求項１】
冷間抽伸加工を施す前の金属管の表面に潤滑用の樹脂被膜を形成する設備であって、
前記金属管を搬送する搬送装置と、
前記搬送装置で搬送された前記金属管を加温する加温装置と、
前記搬送装置で搬送された前記金属管の外面に樹脂を塗布する外面樹脂塗布装置と、
前記搬送装置で搬送された前記金属管の内面に樹脂を塗布する内面樹脂塗布装置と、
前記搬送装置で搬送された前記金属管の内部に送風する送風装置と、を備え、
前記加温装置、前記外面樹脂塗布装置、前記内面樹脂塗布装置及び前記送風装置は、前記搬送装置による前記金属管の搬送方向上流側から下流側に向けてこの順に配置されている、
ことを特徴とする金属管の樹脂被膜形成設備。
【請求項２】
前記搬送装置は、少なくとも前記内面樹脂塗布装置から前記送風装置までの間において、前記金属管を前記金属管の長手方向に直交する水平方向に横送りする横送り機構を具備し、
前記横送り機構は、
前記金属管の長手方向の一部の外面を下方から支持する支持部と、
前記支持部を前記金属管の長手方向に直交する水平方向に移動させる移動部と、を有する、
ことを特徴とする請求項１に記載の金属管の樹脂被膜形成設備。
【請求項３】
前記内面樹脂塗布装置は、
前記金属管の内部に挿入され、前記金属管の長手方向に進退動する棹部と、
前記棹部の先端に取り付けられ、前記金属管の内面に樹脂を吐出する樹脂吐出ノズルと、を具備し、
前記樹脂吐出ノズルが前記樹脂吐出ノズル及び前記棹部の挿入側と反対側に位置する前記金属管の第１端部に到達するまで前記棹部が進動した後、前記棹部が前記樹脂吐出ノズル及び前記棹部の挿入側に位置する前記金属管の第２端部に向けて退動しながら前記樹脂吐出ノズルから樹脂を吐出することで、前記金属管の内面に樹脂を塗布するように構成されている、
ことを特徴とする請求項１又は２に記載の金属管の樹脂被膜形成設備。
【請求項４】
前記内面樹脂塗布装置は、前記金属管の内面に樹脂を塗布した後の前記樹脂吐出ノズルを洗浄する洗浄ノズルを更に具備する、
ことを特徴とする請求項３に記載の金属管の樹脂被膜形成設備。
【発明の詳細な説明】
【技術分野】
【０００１】
本発明は、冷間抽伸加工を施す前の金属管の表面（外面及び内面）に潤滑用の樹脂被膜を適切に且つ効率的に形成可能な金属管の樹脂被膜形成設備に関する。
【背景技術】
【０００２】
鋼管等の金属管を縮径加工する方法として、金属管内にプラグやマンドレルを挿入し、ダイスを通して金属管を抽伸する冷間抽伸加工（冷間引抜き加工）が知られている。
この冷間抽伸加工においては、被加工材である金属管と、工具（プラグ、マンドレル、ダイス）との間の焼き付きを防止するため、冷間抽伸加工を施す前に、金属管の表面（外面及び内面）に潤滑用の被膜を形成するのが一般的である。
【０００３】
潤滑用の被膜として種々のものが知られているが、そのうち、高合金鋼やＮｉ基合金等の難加工材質の金属管の冷間抽伸加工を容易にする被膜として、潤滑性に優れた樹脂被膜が提案されている（例えば、特許文献１参照）。
従来、樹脂被膜の好ましい材質については、特許文献１等に種々提案されているものの、樹脂被膜を適切に且つ効率的に形成可能な設備については提案されていない。
【先行技術文献】
【特許文献】
【０００４】
【特許文献１】特開２００７−２６８５８０号公報
【発明の開示】
【発明が解決しようとする課題】
【０００５】
本発明は、上記従来技術の問題を解決するためになされたものであり、冷間抽伸加工を施す前の金属管の表面（外面及び内面）に潤滑用の樹脂被膜を適切に且つ効率的に形成可能な金属管の樹脂被膜形成設備を提供することを課題とする。
【課題を解決するための手段】
【０００６】
前記課題を解決するため、本発明は、冷間抽伸加工を施す前の金属管の表面に潤滑用の樹脂被膜を形成する設備であって、前記金属管を搬送する搬送装置と、前記搬送装置で搬送された前記金属管を加温する加温装置と、前記搬送装置で搬送された前記金属管の外面に樹脂を塗布する外面樹脂塗布装置と、前記搬送装置で搬送された前記金属管の内面に樹脂を塗布する内面樹脂塗布装置と、前記搬送装置で搬送された前記金属管の内部に送風する送風装置と、を備え、前記加温装置、前記外面樹脂塗布装置、前記内面樹脂塗布装置及び前記送風装置は、前記搬送装置による前記金属管の搬送方向上流側から下流側に向けてこの順に配置されている、ことを特徴とする金属管の樹脂被膜形成設備を提供する。
【０００７】
本発明に係る樹脂被膜形成設備によれば、搬送装置による金属管の搬送方向上流側から下流側に向けて、加温装置、外面樹脂塗布装置、内面樹脂塗布装置及び送風装置がこの順に配置されている。このため、最初に加温装置で金属管が加温される。この加温された金属管の熱により、加温装置よりも金属管の搬送方向下流側に位置する外面樹脂塗布装置及び内面樹脂塗布装置で塗布される樹脂の乾燥速度を高めることが可能である。
【０００８】
また、本発明に係る樹脂被膜形成設備によれば、外面樹脂塗布装置で金属管の外面に樹脂が塗布された後に、内面樹脂塗布装置で金属管の内面に樹脂が塗布される。換言すれば、金属管の外面に塗布される樹脂の方が、金属管の内面に塗布される樹脂よりも、金属管の温度が高い状態（加温された金属管の温度低下が少ない状態）で塗布されることになる。また、金属管の外面に塗布された樹脂の方が、金属管の内面に塗布された樹脂よりも、搬送装置による金属管の搬送過程における乾燥（自然乾燥）時間を長く確保できる。したがい、金属管の外面に塗布された樹脂が乾燥し易い。通常、金属管は、その外面が搬送装置を構成する部材に接触して搬送されるため、この接触により、金属管の内面に塗布された樹脂に比べて、金属管の外面に塗布された樹脂の方が剥がれ易くなる。本発明に係る樹脂被膜形成設備によれば、上記のように、金属管の外面に塗布された樹脂が乾燥し易いため、樹脂が剥がれるおそれを低減可能である。
【０００９】
さらに、本発明に係る樹脂被膜形成設備によれば、内面樹脂塗布装置で金属管の内面に樹脂が塗布された後に、送風装置で金属管の内部に送風される。内面樹脂塗布装置で金属管の内面に樹脂を塗布する際には、外面樹脂塗布装置で金属管の外面に樹脂を塗布する際に比べて、金属管の温度が低下しているため、金属管の内面に塗布された樹脂は乾燥し難い。また、金属管の温度低下が小さい場合であっても、金属管の内面に塗布された樹脂の水分が蒸気化して金属管内部に滞留することで、一度乾燥した樹脂が再液化するおそれがある。本発明に係る樹脂被膜形成設備によれば、上記のように、送風装置で金属管の内部に送風されるため、内面に塗布された樹脂が乾燥し易くなり、樹脂の液垂れを低減可能である。
【００１０】
以上のように、本発明に係る樹脂被膜形成設備によれば、加温装置、外面樹脂塗布装置、内面樹脂塗布装置及び送風装置が、金属管の表面に樹脂被膜を形成する上で適切な順に配置されており、加温装置による金属管の加温から送風装置による金属管の内部の送風まで、搬送装置によって順次搬送しながら実行可能である。したがい、本発明に係る樹脂被膜形成設備によれば、冷間抽伸加工を施す前の金属管の表面に潤滑用の樹脂被膜を適切に且つ効率的に形成可能である。
【００１１】
好ましくは、前記搬送装置は、少なくとも前記内面樹脂塗布装置から前記送風装置までの間において、前記金属管を前記金属管の長手方向に直交する水平方向に横送りする横送り機構を具備し、前記横送り機構は、前記金属管の長手方向の一部の外面を下方から支持する支持部と、前記支持部を前記金属管の長手方向に直交する水平方向に移動させる移動部と、を有する。
【００１２】
上記の好ましい構成によれば、少なくとも内面樹脂塗布装置から送風装置までの間において、金属管は横送り機構によって横送りされる。この横送りの際、金属管の外面は長手方向の一部を下方から支持する支持部に接触するものの、支持部が移動部によって横送り方向（金属管の長手方向に直交する水平方向）に移動することで、金属管は支持部と一体的に横送りされる。換言すれば、金属管の横送りの際に、支持部が接触する金属管の外面の部位は変化しない。このため、外面樹脂塗布装置で金属管の外面に塗布された樹脂が搬送中（横送り中）に剥がれるとしても、支持部と接触する金属管の外面の一部に留まる。金属管の外面の一部において塗布された樹脂が剥がれるとしても、金属管の外面に接触する支持部の面積を小さくしておけば、剥がれる部位の面積も小さくなる。金属管に冷間抽伸加工を施す際、金属管の外面に形成された樹脂被膜は、ダイスとの摩擦によって金属管の長手方向にある程度延ばされると考えられる。このため、剥がれた部位の面積が小さければ、剥がれた部位にも樹脂が充填され、焼き付きが生じ難いと考えられる。
【００１３】
好ましくは、前記内面樹脂塗布装置は、前記金属管の内部に挿入され、前記金属管の長手方向に進退動する棹部と、前記棹部の先端に取り付けられ、前記金属管の内面に樹脂を吐出する樹脂吐出ノズルと、を具備し、前記樹脂吐出ノズルが前記樹脂吐出ノズル及び前記棹部の挿入側と反対側に位置する前記金属管の第１端部に到達するまで前記棹部が進動した後、前記棹部が前記樹脂吐出ノズル及び前記棹部の挿入側に位置する前記金属管の第２端部に向けて退動しながら前記樹脂吐出ノズルから樹脂を吐出することで、前記金属管の内面に樹脂を塗布するように構成されている。
【００１４】
上記の好ましい構成によれば、金属管の内部に挿入される棹部の先端に取り付けられた樹脂吐出ノズルから樹脂を吐出することで、金属管の内面に樹脂が塗布される。金属管の内面に樹脂が塗布される際、樹脂吐出ノズル及び棹部は、第１端部（樹脂吐出ノズル及び棹部の挿入側と反対側に位置する金属管の端部）から第２端部（樹脂吐出ノズル及び棹部の挿入側に位置する金属管の端部）に向けて退動する。換言すれば、金属管の内面に樹脂が塗布される際、樹脂吐出ノズルよりも棹部の方が移動方向下流側に位置する。このため、樹脂吐出ノズルによって樹脂が塗布された後の金属管の内面の部位に棹部が接触するおそれがなく、内面に塗布された樹脂が棹部との接触によって剥がれるおそれもない。
【００１５】
好ましくは、前記内面樹脂塗布装置は、前記金属管の内面に樹脂を塗布した後の前記樹脂吐出ノズルを洗浄する洗浄ノズルを更に具備する。
【００１６】
上記の好ましい構成によれば、第１端部から第２端部に向けて退動する樹脂吐出ノズルによって金属管の内面に樹脂を塗布し終えた後に、同じ退動動作を継続して、洗浄ノズルによって樹脂吐出ノズルを洗浄可能である。したがい、樹脂吐出ノズルの詰まりを効率良く防止可能である。  
【発明の効果】
【００１７】
本発明に係る金属管の樹脂被膜形成設備によれば、冷間抽伸加工を施す前の金属管の表面（外面及び内面）に潤滑用の樹脂被膜を適切に且つ効率的に形成可能である。
【図面の簡単な説明】
【００１８】
【図１】本発明の一実施形態に係る樹脂被膜形成設備の概略構成を模式的に示す平面図である。
【図２】図１に示す外面樹脂塗布装置の概略構成を模式的に示す正面図である。
【図３】図１に示す内面樹脂塗布装置が金属管の内部に挿入された状態における内面樹脂塗布装置の先端部の概略構成を模式的に示す断面視平面図である。
【図４】図１に示す洗浄ノズルの配置状態を模式的に示す側面図である。
【図５】図１に示す横送り機構の概略構成を模式的に示す正面図である。
【図６】図１に示す送風装置の概略構成を模式的に示す平面図である。
【発明を実施するための形態】
【００１９】
以下、添付図面を適宜参照しつつ、本発明の一実施形態に係る金属管の樹脂被膜形成設備（以下、適宜、単に「樹脂被膜形成設備」という）について説明する。
図１は、本実施形態に係る樹脂被膜形成設備の概略構成を模式的に示す平面図である。図１に示す太線矢符は、金属管Ｐの搬送方向を意味する。後述の図５に示す太線矢符についても同様である。
図１に示すように、本実施形態に係る樹脂被膜形成設備１００は、搬送装置１と、加温装置２と、外面樹脂塗布装置３と、内面樹脂塗布装置４と、送風装置５とを備えている。加温装置２、外面樹脂塗布装置３、内面樹脂塗布装置４及び送風装置５は、搬送装置１による金属管Ｐの搬送方向上流側から下流側に向けてこの順に配置されている。
【００２０】
搬送装置１は、金属管Ｐを搬送する装置である。具体的には、本実施形態の搬送装置１は、加温装置２に金属管Ｐを搬入・搬出するクレーン（図示せず）と、複数本の金属管Ｐが載置され、金属管Ｐを１本ずつ搬送方向下流側に搬出する搬送テーブル１１と、金属管Ｐの外面を下方から支持し、金属管Ｐの長手方向に直交する水平方向に沿って延びる回転軸周りに回転することで、金属管Ｐを金属管Ｐの長手方向に搬送する搬送ローラ１２と、外面樹脂塗布装置３が設けられた位置から内面樹脂塗布装置４が設けられた位置まで金属管Ｐを搬送するロータリーキッカー（図示せず）と、金属管Ｐを金属管Ｐの長手方向に直交する水平方向に横送りする横送り機構１３とを具備する。
なお、外面樹脂塗布装置３が設けられた位置から金属管Ｐの搬送方向下流側に位置する搬送装置１については、金属管Ｐの外面に塗布された樹脂が剥がれ難くなるように、金属管Ｐの外面と接触する可能性のある部位に緩衝材（例えば、ＭＣナイロン等の樹脂製品）を設けることが好ましい。搬送ローラ１２については、樹脂ライニングローラを採用することが好ましい。
【００２１】
加温装置２は、搬送装置１（クレーン）で搬送された金属管Ｐを加温する装置である。具体的には、本実施形態の加温装置２は、湯槽を具備する。そして、４〜６本程度の複数本の金属管Ｐをワイヤ等で束ねてクレーンに吊るし、湯槽に一定時間浸漬することで、金属管Ｐを加温する。
金属管Ｐの加温温度（すなわち、湯槽内の湯温）は、例えば、７０℃〜９０℃に設定される。加温温度は、金属管Ｐの表面に形成する樹脂被膜の膜厚や、加温後表面に樹脂が塗布されるまでの間に金属管Ｐの表面温度の低下に影響する環境条件（加温後樹脂塗布までの経過時間や室温（工場内の温度））等に応じて決定すればよい。具体的には、樹脂被膜の膜厚が大きければ大きいほど、塗布された樹脂が乾燥し難くなるため、金属管Ｐの加温温度を高めることが好ましい。また、金属管Ｐの肉厚が小さければ小さいほど、金属管Ｐの表面温度の低下速度が大きくなるため、金属管Ｐの加温温度を高めることが好ましい。さらには、同時に加温する金属管Ｐの本数が多ければ多いほど、最後の金属管（最も搬送方向上流側で搬送される金属管）Ｐの表面に樹脂が塗布されるまでの経過時間が長くなり、樹脂が塗布される際の表面温度が低下するため、金属管Ｐの加温温度を高めることが好ましい。
なお、加温装置２は、湯槽を具備する構成に限られるものではなく、温風式の乾燥槽を具備する構成を採用することも可能である。
【００２２】
加温装置２で加温された金属管Ｐは、搬送装置１のクレーンを用いて搬送テーブル１１に搬入されて載置される。搬送テーブル１１は、キッカー等の搬送機構を具備し、載置された金属管Ｐを１本ずつ搬送方向下流側に搬出する。搬送テーブル１１から搬出された金属管Ｐは、搬送装置１の搬送ローラ１２によって、外面樹脂塗布装置３が設けられた位置Ｓ１まで長手方向に搬送される。
【００２３】
図２は、外面樹脂塗布装置３の概略構成を模式的に示す正面図（金属管Ｐの長手方向から見た図）である。図２に示す破線矢符は、樹脂の吐出方向を意味する。
外面樹脂塗布装置３は、金属管Ｐの外面に樹脂を塗布する装置である。図２に示すように、外面樹脂塗布装置３は、樹脂吐出ノズル３１と、走行台車３２と、取付治具３３と、回転ローラ３４とを具備する。
【００２４】
樹脂吐出ノズル３１は、金属管Ｐの上方に配置されている。樹脂吐出ノズル３１は、樹脂供給源（図示せず）に接続されており、下方の金属管Ｐの外面に向けて樹脂（例えば、アクリル系樹脂など）を吐出する。
なお、本実施形態の樹脂吐出ノズル３１は、金属管Ｐの搬送時（特に、外面の樹脂を塗布し終わった後の金属管Ｐの搬送時）に金属管Ｐに接触して破損することがないように、取付治具３３が上下方向の軸周りに回転することで、金属管Ｐの上方から外れた退避位置に退避可能となっている。
【００２５】
走行台車３２は、金属管Ｐの長手方向（図２の紙面に垂直な方向）に沿って走行する。樹脂吐出ノズル３１は、取付治具３３によって走行台車３２に取り付けられているため、走行台車３２が金属管Ｐの長手方向に沿って走行することで、樹脂吐出ノズル３１も金属管Ｐの長手方向に沿って移動することになる。
【００２６】
回転ローラ３４は、金属管Ｐの長手方向に沿って延びる回転軸周りに回転する。この回転ローラ３４が回転することで、金属管Ｐも周方向に回転することになる。具体的には、金属管Ｐが外面樹脂塗布装置３が設けられた位置Ｓ１まで搬送された直後には、金属管Ｐは搬送ローラ１２によって支持されている。その後、回転ローラ３４が搬送ローラ１２よりも上方に上昇することで、金属管Ｐは回転ローラ３４によって支持される。そして、前述のように、回転ローラ３４が回転することで、金属管Ｐは周方向に回転する。
【００２７】
以上の構成を有する外面樹脂塗布装置３で金属管Ｐの外面に樹脂を塗布する際には、回転ローラ３４によって周方向に回転する金属管Ｐの外面に向けて樹脂吐出ノズル３１から樹脂を吐出しながら、走行台車３２を走行させる。これにより、金属管Ｐの外面全体に樹脂を塗布することが可能である。
なお、金属管Ｐの外面全体に所望する膜厚の樹脂被膜を均等に形成可能なように、金属管Ｐの回転速度、樹脂吐出ノズル３１の移動速度及び樹脂吐出ノズル３１の樹脂吐出量を設定すればよい。金属管Ｐの回転速度は、例えば、回転ローラ３４として回転速度可変型のものを用い、この回転ローラ３４の回転速度を調整することで変更可能である。樹脂吐出ノズル３１の移動速度は、例えば、走行台車３２として走行速度可変型のものを用い、この走行台車３２の走行速度を調整することで変更可能である。樹脂吐出ノズル３１の樹脂吐出量は、例えば、樹脂供給源からの供給量を調整したり、吐出口の大きさが異なるノズルに交換することで変更可能である。
【００２８】
外面樹脂塗布装置３によって外面に樹脂が塗布された金属管Ｐは、搬送装置１のロータリーキッカー（図示せず）によって、内面樹脂塗布装置４が設けられた位置Ｓ２まで搬送される。具体的には、金属管Ｐは、後述する横送り機構１３の支持部１３１上に搬送される。
【００２９】
図３は、内面樹脂塗布装置４が金属管Ｐの内部に挿入された状態における内面樹脂塗布装置４の先端部の概略構成を模式的に示す断面視平面図である。図３に示す破線矢符は、樹脂の吐出方向を意味する。
内面樹脂塗布装置４は、金属管Ｐの内面に樹脂を塗布する装置である。図１又は図３に示すように、内面樹脂塗布装置４は、棹部４１と、樹脂吐出ノズル４２と、走行台車４３と、を具備する。
【００３０】
棹部４１は、金属管Ｐの内部に挿入され、金属管Ｐの長手方向に進退動する。具体的には、棹部４１の後端（棹部４１の挿入側と反対側に位置する端、図１の右側の端）に走行台車４３が取り付けられており、走行台車４３が金属管Ｐの長手方向に沿って進退動することで、棹部４１も進退動することになる。
棹部４１は、その長手方向の適宜の箇所に、拡径された案内部４１ａを具備する。案内部４１ａの直径（最大直径）は、樹脂吐出ノズル４２の直径（最大直径）よりも大きく、且つ、金属管Ｐの内径よりも小さくなっている。これにより、金属管Ｐの内面に接触するのは案内部４１ａのみとなり、棹部４１全体が金属管Ｐの内面に接触することなくスムーズに進退動可能であると共に、樹脂吐出ノズル４２が金属管Ｐの内面に接触して破損するおそれを回避可能である。
【００３１】
樹脂吐出ノズル４２は、棹部４１の先端（棹部４１の挿入側に位置する端、図１の左側の端）に取り付けられ、棹部４１が進動する（挿入方向に移動する）ことで、金属管Ｐの内部に挿入される。樹脂吐出ノズル４２は、樹脂供給源（図示せず）に接続されており、金属管Ｐの内面に樹脂（例えば、アクリル系樹脂など）を吐出する。
本実施形態では、樹脂吐出ノズル４２として、ベルカップノズルが用いられている。樹脂吐出ノズル（ベルカップノズル）４２は、棹部４１の中心軸周りにエアモータで高速回転可能に棹部４１に取り付けられており、高速回転しながら樹脂吐出ノズル４２に設けられた多数の小さな吐出口から樹脂を吐出することで、金属管Ｐの内面に対して周方向に均一に樹脂を塗布することが可能である。樹脂吐出ノズル４２の具体的な構成については、公知のベルカップノズルを種々適用可能であるため、ここでは詳細な説明を省略する。
【００３２】
以上の構成を有する内面樹脂塗布装置４で金属管Ｐの内面に樹脂を塗布する際には、まず、走行台車４３を進動させる（図１の左側に移動させる）ことで、樹脂吐出ノズル４２が樹脂吐出ノズル４２及び棹部４１の挿入側と反対側に位置する金属管Ｐの第１端部Ｅ１に到達するまで棹部４１が進動する。次に、樹脂吐出ノズル４２から樹脂を吐出しながら、走行台車４３を退動させる（図１の右側に移動させる）ことで、棹部４１が樹脂吐出ノズル４２及び棹部４１の挿入側に位置する金属管Ｐの第２端部Ｅ２に向けて退動する（挿入方向と反対方向に移動する）。樹脂吐出ノズル４２が樹脂を吐出しながら第２端部Ｅ２に到達することで、金属管Ｐの内面全体に樹脂を塗布することが可能である。
なお、金属管Ｐの内面全体に所望する膜厚の樹脂被膜を均等に形成可能なように、樹脂吐出ノズル４２の移動速度及び樹脂吐出ノズル４２の樹脂吐出量を設定すればよい。樹脂吐出ノズル４２の移動速度は、例えば、走行台車４３として走行速度可変型のものを用い、この走行台車４３の走行速度を調整することで変更可能である。樹脂吐出ノズル４２の樹脂吐出量は、例えば、樹脂供給源からの供給量を調整することで変更可能である。
【００３３】
本実施形態の内面樹脂塗布装置４は、好ましい構成として、樹脂吐出ノズル４２を洗浄する洗浄ノズル４４を更に具備する。
図１に示す樹脂吐出ノズル４２は、金属管Ｐの第２端部Ｅ２よりも金属管Ｐの第１端部Ｅ１から離間（金属管Ｐの長手方向に離間）した待機位置にある。そして、図１に示すように、洗浄ノズル４４は、樹脂吐出ノズル４２の待機位置付近に配置されている。
【００３４】
図４は、洗浄ノズル４４の配置状態を模式的に示す側面図（棹部４１の長手方向に直交する水平方向から見た図）である。図４に示す破線矢符は、洗浄水の吐出方向を意味する。
洗浄ノズル４４は、待機位置にある樹脂吐出ノズル４２の上方に配置されている。洗浄ノズル４４は、洗浄水供給源（図示せず）に接続されており、下方の樹脂吐出ノズル４２に向けて洗浄水を吐出する。
樹脂吐出ノズル４２によって金属管Ｐの内面に樹脂を塗布した後、走行台車４３を更に退動させることで、棹部４１が更に退動し、樹脂吐出ノズル４２が待機位置に到達する。樹脂吐出ノズル４２が待機位置に到達した後、洗浄ノズル４４から樹脂吐出ノズル４２に向けて洗浄水を吐出することで、樹脂吐出ノズル４２が洗浄される。
【００３５】
内面樹脂塗布装置４によって内面に樹脂が塗布された金属管Ｐは、搬送装置１の横送り機構１３によって、送風装置５が設けられた位置Ｓ３まで搬送される。
図５は、横送り機構１３の概略構成を模式的に示す正面図（金属管Ｐの長手方向から見た図）である。
横送り機構１３は、少なくとも内面樹脂塗布装置４が設けられた位置Ｓ２から送風装置５が設けられた位置Ｓ３までの間において、金属管Ｐを金属管Ｐの長手方向に直交する水平方向に横送りする機構である。本実施形態の横送り機構１３は、送風装置５が設けられた位置Ｓ３から自然乾燥を行う位置Ｓ４まで更に金属管Ｐを横送りする構成とされている。図５に示すように、横送り機構１３は、支持部１３１と、移動部１３２とを有する。
【００３６】
支持部１３１は、金属管Ｐの長手方向の一部の外面を下方から支持する。具体的には、支持部１３１は、一対の支持部片１３１ａ、１３１ｂから構成されており、金属管Ｐを支持する位置（位置Ｓ２〜位置Ｓ４）において、両支持部片１３１ａ、１３１ｂにより略Ｖ字状の支持面が形成される。この略Ｖ字状の支持面によって、金属管Ｐは横送り方向（金属管の長手方向に直交する方向）に位置ずれすることなく支持される。支持部１３１の支持部片１３１ａ、１３１ｂは、移動部１３２に取り付けられている。移動部１３２には、複数対（図５に示す例では８対）の支持部片１３１ａ、１３１ｂが取り付けられている。
【００３７】
移動部１３２は、支持部１３１を金属管Ｐの長手方向に直交する水平方向に移動させる。移動部１３２としては、例えば、無限軌道状（環状）のチェーンコンベアやベルトコンベアを用いることができる。そして、支持部１３１を構成する支持部片１３１ａ、１３１ｂは、チェーンコンベア又はベルトコンベアを構成する無端（環状）チェーン又は無端（環状）ベルトに取り付けられ、チェーン又はベルトと一体的に移動する。本実施形態では、移動部１３２として、チェーンコンベアが用いられている。移動部（チェーンコンべア）１３２のチェーン１３２ａに支持部片１３１ａ、１３１ｂが取り付けられており、移動部１３２のプーリ１３２ｂを回転させることでチェーン１３２ａが移動し、支持部片１３１ａ、１３１ｂもチェーン１３２ａと一体的に移動する。これにより、支持部１３１（支持部片１３１ａ、１３１ｂ）に支持された金属管Ｐも移動することになる。移動部１３２のチェーン１３２ａの移動は、移動と停止を繰り返す間欠移動である。チェーン１３２ａが停止（これにより支持部１３１に支持された金属管Ｐも停止）した状態で、内面樹脂塗布装置４による樹脂の塗布や、後述の送風装置５による送風が実行される。  
【００３８】
なお、横送り機構１３が有する支持部１３１及び移動部１３２は、金属管Ｐの長手方向に沿って複数箇所（図１に示す例では６箇所）設けられている。これにより、金属管Ｐを安定した状態で横送り可能である。
【００３９】
図６は、送風装置５の概略構成を模式的に示す平面図である。図６に示す破線矢符は、送風の方向を意味する。
送風装置５は、金属管Ｐの内部に送風する装置である。図１に示すように、本実施形態の送風装置５は、金属管Ｐの搬送方向（位置Ｓ１に至るまでの搬送方向）上流側の管端側（図１の右側の管端側。前述の第２端部Ｅ２側）に配置されている。図６に示すように、送風装置５は、送風部５１と、蛇腹部５２と、ファン５３とを有する。
【００４０】
送風部５１は、位置Ｓ３に搬送された金属管Ｐの端部に対向配置されている。位置Ｓ３に搬送された金属管Ｐは、図５に示す支持部１３１によって下方から支持されているため、金属管Ｐの外径が変化すれば、金属管Ｐの端部の位置も上下方向に変化する。このため、送風部５１は、種々の外径の金属管Ｐの端部に対向可能なように、上下方向に位置調整可能に構成されている。
【００４１】
ファン５３によって生じた風は、蛇腹部５２の内部を通って送風部５１に流入し、送風部５１から金属管Ｐの端部に向けて流出する。送風部５１から流出した風は、金属管Ｐの内部に流入するため、金属管Ｐの内面に塗布された樹脂が乾燥し易くなる。
【００４２】
送風装置５によって送風された金属管Ｐは、搬送装置１の横送り機構１３によって、自然乾燥を行う位置Ｓ４まで搬送される。この位置Ｓ４で金属管Ｐを所定時間（典型的には、後続の金属管が位置Ｓ２においてその内面に樹脂が塗布されている間）停止させることにより、金属管Ｐの外面及び内面に塗布された樹脂が乾燥し易くなる。
【００４３】
金属管Ｐは、位置Ｓ４で所定時間停止した後、横送り機構１３によって、横送り機構１３の下流側に位置する搬送ローラ１２上に搬送され、搬送ローラ１２によって長手方向に搬送される。その後、金属管Ｐを冷間抽伸加工を施す抽伸機に直接搬送してもよいし、いったん搬送テーブル（図示せず）に搬出しておき、複数本の金属管Ｐを纏めて抽伸機に搬送してもよい。
【００４４】
なお、位置Ｓ１〜Ｓ４における金属管Ｐの長手方向の基準位置は、搬送方向（位置Ｓ１に至るまでの搬送方向）上流側の管端（前述の第２端部Ｅ２の縁に相当）を基準としている。図１に示す例では、金属管Ｐの長さに関わらず、破線で表わした仮想線Ｌの位置に搬送方向上流側の管端が位置するように、管Ｐを搬送している。これにより、搬送方向上流側に配置した送風装置５から流出した風が金属管Ｐの内部に流入し易くなる。
【００４５】
以上に説明した本実施形態に係る樹脂被膜形成設備１００によれば、最初に加温装置２で金属管Ｐが加温されるため、この加温された金属管Ｐの熱により、外面樹脂塗布装置３及び内面樹脂塗布装置４で塗布される樹脂の乾燥速度を高めることが可能である。
また、本実施形態に係る樹脂被膜形成設備１００によれば、外面樹脂塗布装置３で金属管Ｐの外面に樹脂が塗布された後に、内面樹脂塗布装置４で金属管Ｐの内面に樹脂が塗布されるため、金属管Ｐの外面に塗布された樹脂が乾燥し易い。このため、金属管Ｐの外面に塗布された樹脂が搬送過程で剥がれるおそれを低減可能である。
また、本実施形態に係る樹脂被膜形成設備１００によれば、内面樹脂塗布装置４で金属管Ｐの内面に樹脂が塗布された後に、送風装置５で金属管Ｐの内部に送風される。このため、金属管Ｐの内面に塗布した樹脂が乾燥し易くなり、樹脂の液垂れを低減可能である。
【００４６】
また、本実施形態に係る樹脂被膜形成設備１００によれば、内面樹脂塗布装置４が設けられた位置Ｓ２から自然乾燥を行う位置Ｓ４までの間において、金属管Ｐは横送り機構１３によって横送りされ、金属管Ｐの横送りの際に、支持部１３１が接触する金属管Ｐの外面の部位は変化しない。このため、外面樹脂塗布装置３で金属管Ｐの外面に塗布された樹脂が搬送中（横送り中）に剥がれるとしても、支持部１３１と接触する金属管Ｐの外面の一部に留まり、金属管Ｐに冷間抽伸加工を施す際に焼き付きが生じ難い。
【００４７】
また、本実施形態に係る樹脂被膜形成設備１００によれば、内面樹脂塗布装置４で金属管Ｐの内面に樹脂が塗布される際、樹脂吐出ノズル４２よりも棹部４１の方が移動方向下流側に位置する。このため、樹脂吐出ノズル４２によって樹脂が塗布された後の金属管Ｐの内面の部位に棹部４１が接触するおそれがなく、内面に塗布された樹脂が棹部４１との接触によって剥がれるおそれもない。
【００４８】
さらに、本実施形態に係る樹脂被膜形成設備１００によれば、第１端部Ｅ１から第２端部Ｅ２に向けて退動する樹脂吐出ノズル４２によって金属管Ｐの内面に樹脂を塗布し終えた後に、同じ退動動作を継続して、洗浄ノズル４４によって樹脂吐出ノズル４２を洗浄可能である。したがい、樹脂吐出ノズル４２の詰まりを効率良く防止可能である。
【符号の説明】
【００４９】
１・・・搬送装置
２・・・加温装置
３・・・外面樹脂塗布装置
４・・・内面樹脂塗布装置
５・・・送風装置
１１・・・搬送テーブル
１２・・・搬送ローラ
１３・・・横送り機構
４１・・・棹部
４２・・・樹脂吐出ノズル
４４・・・洗浄ノズル
１００・・・樹脂被膜形成設備
Ｐ・・・金属管
【図１】
2020040083.tif 000003
【図２】
2020040083.tif 000004
【図３】
2020040083.tif 000005
【図４】
2020040083.tif 000006
【図５】
2020040083.tif 000007
【図６】
2020040083.tif 000008